(57)【要約】【課題】  加入者認証モジュールに係る契約変更の際の処理を簡素化する。【解決手段】  管理システム１は、移動通信端末３０が通信事業者ネットワークＮにおいて移動体通信を行うために必要な情報であるプロファイルを記憶するｅＵＩＣＣ３１を管理するシステムであり、ｅＵＩＣＣデータベース１０と、顧客データベース２０とを含む。顧客データベース２０は、プロファイル及びｅＵＩＣＣ３１に係る契約情報を記憶する契約情報記憶部２１と、ｅＵＩＣＣ３１に係る新たな契約情報を入力する契約情報入力部２２と、契約情報に係るｅＵＩＣＣに対応付けられてｅＵＩＣＣデータベース１０に記憶されている、記憶されているプロファイルの有無に応じて、当該ｅＵＩＣＣ３１用にプロファイルをダウンロードさせるように制御すると共に、当該ｅＵＩＣＣ３１に新たな契約を対応付けて記憶させる制御部２３とを備える。【選択図】  図１
2018061083.tif 000002
【特許請求の範囲】
【請求項１】
移動通信端末が移動体通信網において移動体通信を行うために必要な情報である加入者情報を記憶する加入者認証モジュールを管理する管理システムであって、
加入者認証モジュール、当該加入者認証モジュールに記憶されている加入者情報の有無、及び当該加入者認証モジュールに係る契約の情報を対応付けて記憶する記憶部と、
加入者認証モジュールに係る新たな契約に係る情報を入力する契約情報入力部と、
前記契約情報入力部によって入力された情報に係る加入者認証モジュールに対応付けられて前記記憶部に記憶されている、当該加入者認証モジュールに記憶されている加入者情報の有無に応じて、当該加入者認証モジュール用にプロファイルをダウンロードさせるように制御すると共に、当該加入者認証モジュールに前記新たな契約を対応付けて前記記憶部に記憶させる制御部と、
を備える管理システム。
【請求項２】
前記記憶部は、前記加入者認証モジュールに記憶されている加入者情報がある場合に当該加入者情報が活性化されているか否かを示す活性情報を記憶し、
前記制御部は、前記記憶部に記憶されている活性情報に応じて、前記加入者認証モジュールに記憶されている加入者情報を活性化させるように制御する請求項１に記載の管理システム。
【請求項３】
移動通信端末が移動体通信網において移動体通信を行うために必要な情報である加入者情報を記憶する加入者認証モジュールを管理すると共に、加入者認証モジュール、当該加入者認証モジュールに記憶されている加入者情報の有無、及び当該加入者認証モジュールに係る契約の情報を対応付けて記憶する記憶部を備える管理システムの動作方法である管理方法であって、
加入者認証モジュールに係る新たな契約に係る情報を入力する契約情報入力ステップと、
前記契約情報入力ステップにおいて入力された情報に係る加入者認証モジュールに対応付けられて前記記憶部に記憶されている、当該加入者認証モジュールに記憶されている加入者情報の有無に応じて、当該加入者認証モジュール用にプロファイルをダウンロードさせるように制御すると共に、当該加入者認証モジュールに前記新たな契約を対応付けて前記記憶部に記憶させる制御ステップと、
を含む管理方法。
【発明の詳細な説明】
【技術分野】
【０００１】
本発明は、移動通信端末が移動体通信網において移動体通信を行うために必要な情報である加入者情報を記憶する加入者認証モジュールを管理する管理システム及び管理方法に関する。
【背景技術】
【０００２】
従来から、移動体通信に係る技術として、ｅＵＩＣＣ（Embedded Universal Integrated Circuit Card）が知られている（例えば、特許文献１参照）。ｅＵＩＣＣは、移動通信端末が移動体通信網において移動体通信を行うために必要な加入者情報であるプロファイルを記憶した加入者認証モジュールであり、通常、移動通信端末に組み込まれている。新たなプロファイルが、移動通信端末にダウンロードされてｅＵＩＣＣに記憶されて活性化される（活性状態とされる）ことで、移動体通信を行うことができる移動体通信網（通信事業者、キャリア）を変更することができる。ハードウェアであるｅＵＩＣＣにおいて、プロファイルが書き換えられるソフトウェア部分はｅＳＩＭ（Embedded Subscriber Identity Module）と呼ばれる。
【先行技術文献】
【特許文献】
【０００３】
【特許文献１】特開２０１４−１９２５３５号公報
【発明の概要】
【発明が解決しようとする課題】
【０００４】
ｅＵＩＣＣが組み込まれた移動通信端末の利用方法の一つとして、当該移動通信端末をレンタル用のものとして用いることが考えられる。当該移動通信端末がレンタルされる場合、レンタルするユーザが移動体通信の費用負担等を行うことが望まれる。従って、レンタルするユーザの変更に応じて、移動体通信を提供する通信事業者との契約を異なるものにすることが望まれる。通常、通信事業者の契約とプロファイルとは、一対一で対応している。そのため、契約が変更されると一律に契約に対応するプロファイルが新たにダウンロードされて、ｅＵＩＣＣに記憶されることが想定される。ユーザが変更になる度にダウンロードを行うとすると、その度にダウンロードの時間がかかってしまう。そのため、ユーザの移動通信端末の利用開始までに時間がかかってしまう。
【０００５】
本発明は、上記に鑑みてなされたものであり、加入者認証モジュールに係る契約変更の際の処理を簡素化することができる管理システム及び管理方法を提供することを目的とする。
【課題を解決するための手段】
【０００６】
上記目的を達成するために、本発明に係る管理システムは、移動通信端末が移動体通信網において移動体通信を行うために必要な情報である加入者情報を記憶する加入者認証モジュールを管理する管理システムであって、加入者認証モジュール、当該加入者認証モジュールに記憶されている加入者情報の有無、及び当該加入者認証モジュールに係る契約の情報を対応付けて記憶する記憶部と、加入者認証モジュールに係る新たな契約に係る情報を入力する契約情報入力部と、契約情報入力部によって入力された情報に係る加入者認証モジュールに対応付けられて記憶部に記憶されている、当該加入者認証モジュールに記憶されている加入者情報の有無に応じて、当該加入者認証モジュール用にプロファイルをダウンロードさせるように制御すると共に、当該加入者認証モジュールに新たな契約を対応付けて記憶部に記憶させる制御部と、を備える。
【０００７】
本発明に係る管理システムでは、新たな契約に係る情報が入力されて記憶される際に、当該情報に係る加入者認証モジュールに記憶されている加入者情報の有無に応じて、当該加入者認証モジュール用にプロファイルがダウンロードさせるように制御される。従って、新たな契約が行われる際に一律にプロファイルをダウンロードするのではなく、必要な場合のみにプロファイルをダウンロードすることとできる。即ち、本発明に係る管理システムによれば、加入者認証モジュールに係る契約変更の際の処理を簡素化することができる。
【０００８】
ところで、本発明は、上記のように管理システムの発明として記述できる他に、以下のように管理システムの動作方法である管理方法の発明としても記述することができる。これはカテゴリが異なるだけで、実質的に同一の発明であり、同様の作用及び効果を奏する。
【０００９】
即ち、本発明に係る管理方法は、移動通信端末が移動体通信網において移動体通信を行うために必要な情報である加入者情報を記憶する加入者認証モジュールを管理すると共に、加入者認証モジュール、当該加入者認証モジュールに記憶されている加入者情報の有無、及び当該加入者認証モジュールに係る契約の情報を対応付けて記憶する記憶部を備える管理システムの動作方法である管理方法であって、加入者認証モジュールに係る新たな契約に係る情報を入力する契約情報入力ステップと、契約情報入力ステップにおいて入力された情報に係る加入者認証モジュールに対応付けられて記憶部に記憶されている、当該加入者認証モジュールに記憶されている加入者情報の有無に応じて、当該加入者認証モジュール用にプロファイルをダウンロードさせるように制御すると共に、当該加入者認証モジュールに新たな契約を対応付けて記憶部に記憶させる制御ステップと、を含む。
【発明の効果】
【００１０】
本発明によれば、新たな契約が行われる際に一律にプロファイルをダウンロードするのではなく、必要な場合のみにプロファイルをダウンロードすることとできる。即ち、本発明によれば、加入者認証モジュールに係る契約変更の際の処理を簡素化することができる。
【図面の簡単な説明】
【００１１】
【図１】本発明の実施形態に係る管理システムの構成を示す図である。
【図２】ｅＵＩＣＣに記憶される情報の例を示す図である。
【図３】ｅＵＩＣＣデータベースに記憶される情報の例を示す図である。
【図４】顧客データベースに記憶される情報の例を示す図である。
【図５】本発明の実施形態に係る管理システムで実行される処理（管理方法）の例を示すシーケンス図である。
【図６】本発明の実施形態に係る管理システムで実行される処理（管理方法）の別の例を示すシーケンス図である。
【図７】本発明の実施形態に係る管理システムに含まれるｅＵＩＣＣデータベース及び顧客データベースのハードウェア構成を示す図である。
【発明を実施するための形態】
【００１２】
以下、図面と共に本発明に係る管理システム及び管理方法の実施形態について詳細に説明する。なお、図面の説明においては同一要素には同一符号を付し、重複する説明を省略する。
【００１３】
図１に本実施形態に係る管理システム１を示す。管理システム１は、移動通信端末３０に備えられる加入者認証モジュールであるｅＵＩＣＣ３１（上述したように、ソフトウェアとしてはｅＳＩＭ）を管理する。管理システム１は、ｅＵＩＣＣデータベース１０と、顧客データベース２０とを含んで構成されている。管理システム１は、移動体通信網である通信事業者ネットワークＮに含まれる。
【００１４】
移動通信端末３０は、通信事業者ネットワークＮにおいて（通信事業者ネットワークＮに接続して）移動体通信を行う装置である。移動通信端末３０に備えられるｅＵＩＣＣ３１は、移動通信端末３０が通信事業者ネットワークＮにおいて移動体通信を行うために必要な情報である加入者情報であるプロファイル（ＵＩＣＣソフトウェア）を記憶している。プロファイルには、例えば、通信事業者から提供された情報であるＭＳＩＳＤＮ（Mobile Subscriber ISDN Number、電話番号）、ＩＭＳＩ（InternationalMobile Subscriber Identity）及び認証用の秘密鍵等が含まれる。また、ｅＵＩＣＣ３１には、当該ｅＵＩＣＣ３１を特定する識別子（情報）であるＥＩＤが予め設定されている。また、プロファイルには、当該プロファイルを特定する識別子（情報）が、例えば、プロファイルの生成の際に設定される。
【００１５】
通信事業者ネットワークＮは、通常、通信事業者毎に複数存在している。プロファイルは、通信事業者ネットワークＮ（通信事業者）に応じたものとなっている。移動通信端末３０は、ｅＵＩＣＣ３１に記憶されたプロファイルに対応する通信事業者ネットワークＮにおいて移動体通信を行うことができる。
【００１６】
ｅＵＩＣＣ３１に記憶されるプロファイルは書き換え可能とされている。プロファイルを書き換えることにより、異なるプロファイルにより（例えば、異なる電話番号で）通信事業者ネットワークＮにおける移動体通信を行うことができる。また、プロファイルを書き換えることにより、移動通信端末３０が移動体通信を行うことができる通信事業者ネットワークＮを変更することができる。プロファイルの切替は、例えば、移動通信端末３０の操作、又は通信事業者ネットワークＮ側の制御により行われる。
【００１７】
上述したように、ｅＵＩＣＣ３１に記憶されているプロファイルが活性化されることで、移動通信端末３０は、当該プロファイルを用いた移動体通信を行うことができる。ｅＵＩＣＣ３１は、自身に記憶されているプロファイルが活性化されているか否かを示す活性情報を記憶している。ｅＵＩＣＣ３１は、例えば、図２に示すテーブルで上記の情報を記憶している。図２に示すテーブルは、プロファイル及び状態の欄の情報を対応付けて格納する。当該テーブルの各レコード（１つの行のデータ）が、１つのプロファイルに対応する。
【００１８】
プロファイルの欄の情報は、ｅＵＩＣＣ３１自身に記憶されているプロファイルの識別子である。状態の欄の情報は、当該プロファイルに係る活性情報である。図２（ａ）に示すように状態の欄の情報が「活性」となっていれば、当該プロファイルが活性化されている。図２（ｂ）に示すように状態の欄の情報が「不活性」となっていれば、当該プロファイルが活性化されていない。また、ｅＵＩＣＣ３１にプロファイルが記憶されていない場合、図２（ｃ）に示すようにプロファイルの欄の情報がなしとされる。移動通信端末３０が誰も利用していない状態では、図２（ｃ）に示すようにｅＵＩＣＣ３１にプロファイルが記憶されていないこともあり得る。
【００１９】
ｅＵＩＣＣ３１は、ＵＩＣＣとは異なり、通常、移動通信端末３０に固定的に組み込まれている。そのため、移動通信端末３０は、ＵＩＣＣの交換ができない、あるいは交換が難しい装置として、あるいはそのような装置に組み入れられて用いられることが多い。例えば、移動通信端末３０は、Ｍ２Ｍ（マシンツーマシン）の通信を行う装置として、あるいはそのような装置に組み入れられて用いられる。但し、本発明では、加入者認証モジュールは、ＵＩＣＣと同様に移動通信端末３０に着脱可能に装着されるものであってもよい。
【００２０】
移動通信端末３０は、ＳＭ（Subscription Manager）サーバ４０からプロファイルをダウンロードして、ｅＵＩＣＣ３１にプロファイルをインストールする（記憶させる）。ＳＭサーバ４０は、移動通信端末３０に対してプロファイルを提供するサーバである。ＳＭサーバ４０は、例えば、通信事業者によって設けられる。１つのＳＭサーバ４０が複数の通信事業者ネットワークＮに対応するプロファイルを移動通信端末３０に提供することとしてもよい。移動通信端末３０とＳＭサーバ４０とは、通信事業者ネットワークＮ又は無線ＬＡＮ（ローカルエリアネットワーク）（例えば、Ｗｉ−Ｆｉ）等を介して互いに情報を送受信することができる。また、移動通信端末３０とＳＭサーバ４０とは、プロファイルに係る信号を送受信するためのみに用いられる移動体通信による専用回線によって互いに情報を送受信することとしてもよい。あるいは、移動通信端末３０とＳＭサーバ４０とは、近距離無線通信によって互いに情報を送受信することとしてもよい。また、プロファイルの活性化及び非活性化の制御も、ＳＭサーバ４０からの信号に基づいて行われる。
【００２１】
移動通信端末３０が、通信事業者ネットワークＮにおいて移動体通信を行うためには、移動通信端末３０のユーザと通信事業者ネットワークＮの通信事業者とが契約を行う必要がある。従来では、通常、プロファイルは契約と一対一で対応しており、ユーザが通信事業者と契約を結ぶと、契約に応じたプロファイルがユーザ（移動通信端末３０）に対して提供される。契約の情報は、契約された通信事業者の通信事業者ネットワークＮで保持される。
【００２２】
本実施形態では、移動通信端末３０は、レンタルによってユーザに利用されるものとする。即ち、移動通信端末３０は、複数のユーザによって用いられ得る共用端末である。移動通信端末３０の具体例としては、ユーザによって用いられるスマートフォン又は携帯電話機等である。
【００２３】
上述したように、移動通信端末３０がレンタルされる場合、レンタルするユーザが移動体通信の費用負担等を行うことが望まれる。従って、レンタルするユーザの変更に応じて、移動体通信を提供する通信事業者との契約を異なるものにすることが望まれる。これにより、レンタル業者は、移動通信端末３０による移動体通信の費用負担等とは独立に、移動通信端末３０自体のレンタルを行うことができる。
【００２４】
上述したようにｅＵＩＣＣ３１に記憶されるプロファイルは、契約と一対一で対応している。通常であれば、レンタルするユーザが変わり、それに伴い契約が変更されれば、新たなプロファイルが新たに提供される。即ち、契約が変更されると一律に契約に対応するプロファイルが新たにダウンロードされて、ｅＵＩＣＣ３１に記憶されることが想定される。ユーザが変更になる度にダウンロードを行うとすると、その度にダウンロードの時間がかかってしまう。そのため、ユーザの移動通信端末３０の利用開始までに時間がかかってしまう。本実施形態に係る管理システム１は、ｅＵＩＣＣ３１に係る上記の問題点を解決するためのものである。
【００２５】
引き続いて、管理システム１に含まれるｅＵＩＣＣデータベース１０と、顧客データベース２０とについて説明する。ｅＵＩＣＣデータベース１０は、従来の通信事業者ネットワークには含まれない装置である。顧客データベース２０は、ユーザと通信事業者ネットワークＮの通信事業者との間の契約に係る契約情報を保持、管理する装置であり従来の通信事業者ネットワークにも含まれる。顧客データベース２０は、後述する本実施形態に係る機能に加えて、従来の通信事業者ネットワークにも含まれる顧客データベースと同様の機能を有する。
【００２６】
なお、本実施形態における顧客データベース２０は、例えば、ＢＳＳ（Business Support System）等の通信事業者ネットワークＮにおけるその他のノードを含んで構成されていてもよい。即ち、従来の通信事業者ネットワークにおける顧客データベース以外のノードで、後述する本実施形態に係る機能の一部又は全部が実現されてもよい。ｅＵＩＣＣデータベース１０と、顧客データベース２０とは、互いに情報の送受信を行うことができる。また、顧客データベース２０と、移動通信端末３０とは、通信事業者ネットワークＮ、無線ＬＡＮ又は上述した専用回線等を介して互いに情報を送受信することができる。
【００２７】
引き続いて、本実施形態に係る管理システム１に含まれるｅＵＩＣＣデータベース１０及び顧客データベース２０の本実施形態に係る機能を説明する。図１に示すように、ｅＵＩＣＣデータベース１０は、プロファイル情報記憶部１１と、情報更新部１２とを備えて構成される。
【００２８】
プロファイル情報記憶部１１は、ｅＵＩＣＣ３１及び当該ｅＵＩＣＣ３１に記憶されているプロファイルの有無を対応付けて記憶する記憶部の一部である。また、プロファイル情報記憶部１１は、当該ｅＵＩＣＣ３１に記憶されているプロファイルがある場合に当該プロファイルが活性化されているか否かを示す活性情報を記憶する。
【００２９】
プロファイル情報記憶部１１は、例えば、図３に示すテーブルで上記の情報を記憶している。図３に示すテーブルは、ＥＩＤ、プロファイル及び状態の欄の情報を対応付けて格納する。当該テーブルの各レコード（１つの行のデータ）が、１つのプロファイルに対応する。
【００３０】
ＥＩＤの欄の情報は、ｅＵＩＣＣ３１のＥＩＤである。プロファイルの欄の情報は、当該ｅＵＩＣＣ３１に記憶されているプロファイルの識別子である。状態の欄の情報は、当該プロファイルに係る活性情報である。なお、プロファイル及び状態の欄の情報は、プロファイルが記憶されているｅＵＩＣＣ３１に記憶されている情報と同様である。図３（ａ）及び図３（ｂ）に示すように、プロファイルの欄に識別子が格納されていれば、当該ｅＵＩＣＣ３１に記憶されているプロファイルがあることを示している。後述するように、ＥＩＤに対応付けられるプロファイルの情報は、情報更新部１２からプロファイル情報記憶部１１に入力される。
【００３１】
図３（ｃ）に示すように、プロファイルの欄に識別子が格納されていなければ、当該ｅＵＩＣＣ３１に記憶されているプロファイルがないことを示している。プロファイルを記憶していないｅＵＩＣＣ３１の情報は、通信事業者ネットワークＮの通信事業者等によって、予めｅＵＩＣＣデータベース１０に入力されている。なお、プロファイルが記憶されていないｅＵＩＣＣ３１については、プロファイル情報記憶部１１は、記憶していなくてもよい。その場合、ｅＵＩＣＣ３１についてのレコードがなければ、当該ｅＵＩＣＣ３１に記憶されているプロファイルがないことを示している。
【００３２】
プロファイル情報記憶部１１は、顧客データベース２０から、ｅＵＩＣＣ３１内のプロファイル有無確認の要求を受け付ける。プロファイル有無確認は、ｅＵＩＣＣ３１について、ユーザと通信事業者ネットワークＮの通信事業者との間で新たな契約が行われる際、即ち、ユーザが新たに移動通信端末３０をレンタルする際に行われる。プロファイル有無確認の要求には、当該要求に係るｅＵＩＣＣ３１のＥＩＤが含まれている。プロファイル情報記憶部１１は、当該要求を受け付けると、当該要求に含まれるＥＩＤに対応付けて記憶しているプロファイルの識別子、及び当該プロファイルの活性情報を取得して、顧客データベース２０に通知する。プロファイルの識別子が当該ＥＩＤに対応付けられて記憶されていれば当該ＥＩＤによって示されるｅＵＩＣＣ３１に記憶されているプロファイルがあり、記憶されていなければプロファイルがない。
【００３３】
情報更新部１２は、プロファイル情報記憶部１１に記憶されている情報を更新する機能部である。情報更新部１２は、顧客データベース２０から、情報更新の要求を受け付ける。情報更新部１２は、当該要求を受け付けると、当該要求に応じた情報更新を行う。更新される情報としては、ＥＩＤに対応付けられるプロファイル及び状態の情報がある。
【００３４】
図１に示すように、顧客データベース２０は、契約情報記憶部２１と、契約情報入力部２２と、制御部２３とを備えて構成される。
【００３５】
契約情報記憶部２１は、プロファイル及び当該プロファイルに係る契約の情報を対応付けて記憶する記憶部の一部である。契約情報記憶部２１は、例えば、図４に示すテーブルで上記の情報を記憶している。図４に示すテーブルは、プロファイル及び契約の欄の情報を対応付けて格納する。当該テーブルの各レコード（１つの行のデータ）が、１つのプロファイルに対応する。
【００３６】
プロファイルの欄の情報は、プロファイルの識別子である。契約の欄の情報は、当該プロファイルに係る契約に係る契約情報である。契約情報としては、例えば、契約したユーザに関する情報、移動体通信の利用に係る料金プランや利用可能なサービスに関する情報である。契約情報記憶部２１に記憶される契約情報は、従来の通信事業者ネットワークと同様に当該プロファイルに対する通信サービスの制御及び料金の請求等に用いられる。
【００３７】
契約情報入力部２２は、ｅＵＩＣＣ３１に係る新たな契約に係る契約情報を入力する機能部である。契約情報は、例えば、通信事業者ネットワークＮのコアネットワークに接続された専用端末から、顧客データベース２０に送信される。専用端末は、例えば、通信事業者ネットワークＮの通信事業者の店舗に配置されている。専用端末から送信される契約情報には、ｅＵＩＣＣ３１のＥＩＤが対応付けられている。当該ＥＩＤは、移動通信端末３０がレンタルされる際に、当該移動通信端末３０に備えられるｅＵＩＣＣ３１のＥＩＤである。契約情報入力部２２は、専用端末から送信されるＥＩＤ及び契約情報を受信して入力する。契約情報入力部２２は、入力したＥＩＤ及び契約情報を制御部２３に出力する。
【００３８】
制御部２３は、契約情報入力部２２によって入力された契約情報に係るｅＵＩＣＣ３１に対応付けられてｅＵＩＣＣデータベース１０に記憶されている、当該ｅＵＩＣＣ３１に記憶されているプロファイルの有無に応じて、当該ｅＵＩＣＣ３１用にプロファイルをダウンロードさせるように制御すると共に、当該ｅＵＩＣＣ３１に当該新たな契約を対応付けて記憶させる機能部である。制御部２３は、ｅＵＩＣＣデータベース１０に記憶されている活性情報に応じて、ｅＵＩＣＣデータベース１０に記憶されている加入者情報を活性化させるように制御する。
【００３９】
制御部２３は、契約情報入力部２２からＥＩＤ及び契約情報を入力する。制御部２３は、入力したＥＩＤを含めて、当該ＥＩＤによって示されるｅＵＩＣＣ３１内のプロファイル有無確認の要求をｅＵＩＣＣデータベース１０に対して行う。制御部２３は、当該要求に応じた通知をｅＵＩＣＣデータベース１０から受け取る。
【００４０】
制御部２３は、通知されたプロファイルの識別子があり、また、通知された活性情報が「不活性」であれば、当該ｅＵＩＣＣ３１用のプロファイルのダウンロードは不要であると判断する。この場合、制御部２３は、通知されたプロファイルの識別子に対応付けて契約情報記憶部２１に記憶されている契約情報を、契約情報入力部２２から入力した契約情報で更新する。また、制御部２３は、当該ＥＩＤによって示されるｅＵＩＣＣ３１が備えられる移動通信端末３０に対して、ｅＵＩＣＣ３１に記憶されたプロファイルを活性化するように指示する。この時点でプロファイルが活性化されておらず、移動通信端末３０は移動体通信を行うことができないため、プロファイル活性化指示は無線ＬＡＮ又は専用回線等を経由して行われる。
【００４１】
移動通信端末３０は、顧客データベース２０からプロファイル活性化指示を受信し、当該受信に応じてプロファイルの活性化を行う旨を顧客データベース２０に通知する。また、移動通信端末３０は、当該指示に応じてｅＵＩＣＣ３１に記憶されたプロファイルの活性化を行う。プロファイルの活性化によって、移動通信端末３０は、通信事業者ネットワークＮでの移動体通信を行うことができるようになる。ｅＵＩＣＣ３１は、プロファイルの活性化が行われると、自身が記憶しているプロファイルの活性情報を更新する。また、移動通信端末３０は、プロファイルの活性化を行った旨を自身が備える表示装置に表示を行う等して、移動通信端末３０のユーザ等に通知する。
【００４２】
制御部２３は、移動通信端末３０からプロファイルの活性化がなされる旨の通知を受け、当該通知に応じて、ｅＵＩＣＣデータベース１０に対して当該プロファイルの識別子に対応付けて記憶されている活性状態を「不活性」から「活性」に更新する要求を行う。
【００４３】
通知されたプロファイルの識別子があり、また、通知された活性情報が「活性」である場合、契約情報入力部２２によって入力された契約情報が、その時点で移動体通信が可能な移動通信端末３０についての新たな契約に係るものであることとなる。通常、そのような契約の変更は認められていない。そのため、制御部２３は、それに応じた処理を行う。例えば、制御部２３は、入力されたＥＩＤについての新たな契約が認められない旨の通知を、契約情報の送信元の専用端末等に対して行う。上記の活性情報に応じた判断及び処理は、顧客データベース２０ではなく、ｅＵＩＣＣデータベース１０において行われてもよい。
【００４４】
制御部２３は、通知されたプロファイルの識別子がなければ、当該ｅＵＩＣＣ３１用のプロファイルのダウンロードが必要であると判断し、当該ｅＵＩＣＣ３１用にプロファイルをダウンロードさせるように制御する。この場合、制御部２３は、当該ｅＵＩＣＣ３１用のプロファイルを新たに生成する。プロファイルの生成は、従来の通信事業者ネットワークにおけるプロファイルの生成と同様に行われる。制御部２３は、新たに生成したプロファイルの識別子、及び契約情報入力部２２から入力した契約情報を対応付けて、契約情報記憶部２１に記憶させる。
【００４５】
制御部２３は、入力したＥＩＤ、及び新たに生成したプロファイルをＳＭサーバ４０に送信する。ＳＭサーバ４０は、送信されたＥＩＤ及びプロファイルを受信し、それらを対応付けて記憶する。ＳＭサーバ４０は、当該ＥＩＤによって示されるｅＵＩＣＣ３１が備えられる移動通信端末３０に対して、当該プロファイルをダウンロードさせる。この時点で移動通信端末３０のｅＵＩＣＣ３１には、プロファイルが記憶されておらず、移動通信端末３０は移動体通信を行うことができないため、ダウンロードは無線ＬＡＮ又は専用回線等を経由して行われる。
【００４６】
移動通信端末３０は、当該プロファイルをダウンロードし、ｅＵＩＣＣ３１にダウンロードしたプロファイルを記憶させる。ダウンロードが完了すると、移動通信端末３０は、プロファイルのダウンロードが完了してプロファイルの活性化を行う旨をＳＭサーバ４０に通知する。
【００４７】
また、移動通信端末３０は、ダウンロードしてｅＵＩＣＣ３１に記憶されたプロファイルの活性化を行う。プロファイルの活性化によって、移動通信端末３０は、通信事業者ネットワークＮでの移動体通信を行うことができるようになる。ｅＵＩＣＣ３１は、プロファイルの活性化が行われると、自身が記憶しているプロファイルの活性情報を更新する。また、移動通信端末３０は、プロファイルの活性化を行った旨を自身が備える表示装置に表示を行う等して、移動通信端末３０のユーザ等に通知する。
【００４８】
ＳＭサーバ４０は、移動通信端末３０からの通知を受け、顧客データベース２０に当該通知を行う。制御部２３は、ＳＭサーバ４０から、移動通信端末３０においてプロファイルがダウンロードされ、当該プロファイルの活性化がなされる通知を受ける。制御部２３は、ｅＵＩＣＣデータベース１０に対して、入力したＥＩＤに対応付けて、当該プロファイルの識別子、及び「活性」との活性状態を記憶させる要求を行う。
【００４９】
レンタルが終了し、ユーザと通信事業者ネットワークＮの通信事業者との間での契約が終了される場合、移動通信端末３０のｅＵＩＣＣ３１に記憶されているプロファイルは不活性化、即ち、活性化されていない状態とされる。この場合、移動通信端末３０は、プロファイルを不活性化させる指示を入力する。当該入力は、例えば、ユーザの移動通信端末３０に対する操作によって行われる。移動通信端末３０は、当該指示を入力すると、プロファイルの不活性化を行う旨を顧客データベース２０に通知する。当該通知には、プロファイルの識別子が含められる。
【００５０】
制御部２３は、移動通信端末３０からプロファイルの不活性化がなされる旨の通知を受け、当該通知に応じてｅＵＩＣＣデータベース１０に対して当該プロファイルの識別子に対応付けて記憶されている活性状態を「活性」から「不活性」に更新する要求を行う。また、制御部２３は、当該要求の送信に応じてｅＵＩＣＣデータベース１０から当該要求に対するＡＣＫを受信し、当該ＡＣＫを移動通信端末３０に送信する。この時点でプロファイルは活性されているため、移動通信端末３０と顧客データベース２０とは、移動体通信で情報の送受信を行ってもよい。
【００５１】
移動通信端末３０は、当該ＡＣＫを受信して、ｅＵＩＣＣ３１に記憶されたプロファイルの不活性化を行う。プロファイルの不活性化によって、移動通信端末３０は、通信事業者ネットワークＮでの移動体通信を行うことができないようになる。ｅＵＩＣＣ３１は、プロファイルの不活性化が行われると、自身が記憶しているプロファイルの活性情報を更新する。以上が、本実施形態に係る管理システム１に含まれるｅＵＩＣＣデータベース１０及び顧客データベース２０の本実施形態に係る機能である。
【００５２】
引き続いて、図５及び図６のシーケンス図を用いて、管理システム１で実行される処理（管理システム１の動作方法）である管理方法を説明する。まず、図５のシーケンス図を用いて、ｅＵＩＣＣ３１にプロファイルが記憶されている場合の処理を説明する。
【００５３】
本処理の開始時点では、ユーザＡが移動通信端末３０をレンタルしている。ここでは、契約情報が「Ａ」である契約で、識別子が「１」のプロファイルが用いられる。また、ｅＵＩＣＣ３１のＥＩＤは、「ｅＵＩＣＣ１」である。上記の条件にてｅＵＩＣＣ３１が備えられた移動通信端末３０がユーザＡによって用いられている。この場合、ｅＵＩＣＣ３１に記憶された情報は、図２（ａ）に示すように、プロファイル「１」及び状態「活性」が対応付けられた情報である。また、ｅＵＩＣＣデータベース１０のプロファイル情報記憶部１１に記憶された情報は、図３（ａ）に示すように、ＥＩＤ「ｅＵＩＣＣ１」、プロファイル「１」及び状態「活性」が対応付けられた情報である。また、顧客データベース２０の契約情報記憶部２１に記憶された情報は、図４（ａ）に示すように、プロファイル「１」及び契約「Ａ」が対応付けられた情報である。
【００５４】
ユーザＡがレンタルを終了し、ユーザＡと通信事業者ネットワークＮの通信事業者との間の契約が終了する際に、移動通信端末３０にプロファイルを不活性化させる指示が入力される（Ｓ０１）。当該指示が移動通信端末３０に入力されると、プロファイルの不活性化を行う旨が、移動通信端末３０から顧客データベース２０に通知される（Ｓ０２）。
【００５５】
顧客データベース２０では、制御部２３によって、当該通知が受け付けられ、当該通知に応じて、ｅＵＩＣＣデータベース１０に対して当該プロファイルの識別子に対応付けて記憶されている活性状態を「活性」から「不活性」に更新する要求が行われる（Ｓ０３）。ｅＵＩＣＣデータベース１０では、情報更新部１２によって、当該要求が受け付けられて、当該要求に対するＡＣＫが顧客データベース２０に送信される（Ｓ０４）。また、当該送信が行われると、情報更新部１２によって、当該要求に応じてプロファイル情報記憶部１１に記憶されている情報の更新が行われる（Ｓ０５）。当該更新によって、プロファイル情報記憶部１１に記憶された情報は、図３（ｂ）に示すように状態が「不活性」となる。
【００５６】
顧客データベース２０では、制御部２３によって、当該要求に対するＡＣＫが受信されて、更に当該ＡＣＫが移動通信端末３０に送信される（Ｓ０６）。移動通信端末３０では、当該ＡＣＫが受信されて、ｅＵＩＣＣ３１に記憶されたプロファイルの不活性化が行われる（Ｓ０７）。プロファイルの不活性化が行われると、ｅＵＩＣＣ３１によって記憶されているプロファイルの活性情報が更新される。当該更新によって、ｅＵＩＣＣ３１に記憶された情報は、図２（ｂ）に示すように状態が「不活性」となる。プロファイルの不活性化によって、移動通信端末３０は、通信事業者ネットワークＮでの移動体通信を行うことができないようになる。以上が、ユーザＡがレンタルを終了し、ユーザＡと通信事業者ネットワークＮの通信事業者との間の契約が終了する際の処理である。
【００５７】
続いて、ユーザＡとは異なるユーザＢが移動通信端末３０をレンタルする。ユーザＢと通信事業者ネットワークＮの通信事業者との間の新たな契約が行われる際に、顧客データベース２０では、契約情報入力部２２によって、移動通信端末３０に備えられるｅＵＩＣＣ３１のＥＩＤである「ｅＵＩＣＣ１」、及び新たな契約に係る契約情報である「Ｂ」が入力される（Ｓ１１、契約情報入力ステップ）。
【００５８】
続いて、制御部２３によって、入力したＥＩＤによって示されるｅＵＩＣＣ３１内のプロファイル有無確認の要求がｅＵＩＣＣデータベース１０に対して行われる（Ｓ１２、制御ステップ）。ｅＵＩＣＣデータベース１０では、プロファイル情報記憶部１１によって、当該要求が受け付けられ、当該ＥＩＤに対応付けて記憶されているプロファイルの識別子、及び当該プロファイルの活性情報が取得されて、顧客データベース２０に通知される（Ｓ１３、制御ステップ）。本処理では、図３（ｂ）に示すように、ＥＩＤ「ｅＵＩＣＣ１」に対応付けられた、プロファイル「１」及び状態「不活性」の情報が顧客データベース２０に通知される。即ち、プロファイルがある旨の情報が通知される。
【００５９】
顧客データベース２０では、制御部２３によって、当該通知が受け付けられる。通知が、プロファイルがある旨のものであるため、続いて、制御部２３によって、通知されたプロファイルの識別子に対応付けて契約情報記憶部２１に記憶されている契約情報が、契約情報入力部２２によって入力された契約情報で更新される（Ｓ１４、制御ステップ）。本処理では、図４（ｂ）に示すように、プロファイル「１」に新たに契約「Ｂ」が対応付けられて記憶される。
【００６０】
続いて、制御部２３によって、当該ＥＩＤによって示されるｅＵＩＣＣ３１が備えられる移動通信端末３０に対して、ｅＵＩＣＣ３１に記憶されたプロファイルを活性化するように指示される（Ｓ１５、制御ステップ）。
【００６１】
移動通信端末３０では、顧客データベース２０からプロファイル活性化指示が受信され、当該受信に応じてプロファイルの活性化を行う旨が顧客データベース２０に通知される（Ｓ１６）。また、移動通信端末３０では、当該指示に応じてｅＵＩＣＣ３１に記憶されたプロファイルの活性化が行われる（Ｓ１７）。プロファイルの活性化が行われると、ｅＵＩＣＣ３１によって記憶されているプロファイルの活性情報が更新される。当該更新によって、ｅＵＩＣＣ３１に記憶された情報は、図２（ａ）に示すように状態が「活性」となる。プロファイルの活性化によって、移動通信端末３０は、通信事業者ネットワークＮでの移動体通信を行うことができるようになる。また、移動通信端末３０では、プロファイルの活性化が行われた旨が移動通信端末３０のユーザ等に通知される（Ｓ１８）。
【００６２】
顧客データベース２０では、制御部２３によって、移動通信端末３０からのプロファイルの活性化がなされる旨の通知（Ｓ１６）が受け付けられ、当該通知に応じて、ｅＵＩＣＣデータベース１０に対して当該プロファイルの識別子に対応付けて記憶されている活性状態を「不活性」から「活性」に更新する要求が行われる（Ｓ１９、制御ステップ）。ｅＵＩＣＣデータベース１０では、情報更新部１２によって、当該要求が受け付けられて、当該要求に応じてプロファイル情報記憶部１１に記憶されている情報の更新が行われる（Ｓ２０、制御ステップ）。当該更新によって、プロファイル情報記憶部１１に記憶された情報は、図３（ａ）に示すように状態が「活性」となる。以上が、ユーザＢがレンタルし、ユーザＢと通信事業者ネットワークＮの通信事業者との間の新たな契約が行われる際の処理である。
【００６３】
続いて、図６のシーケンス図を用いて、ｅＵＩＣＣ３１にプロファイルが記憶されていない場合の処理を説明する。例えば、移動通信端末３０が、誰にも利用されていない場合には、ｅＵＩＣＣ３１にプロファイルが記憶されていない。
【００６４】
この場合、ｅＵＩＣＣ３１に記憶された情報は、図２（ｃ）に示すように、プロファイル「なし」との情報である。また、ｅＵＩＣＣデータベース１０のプロファイル情報記憶部１１に記憶された情報は、図３（ｃ）に示すように、ＥＩＤ「ｅＵＩＣＣ１」及びプロファイル「なし」が対応付けられた情報である。また、顧客データベース２０の契約情報記憶部２１には、ｅＵＩＣＣ３１にプロファイルが記憶されていないため、当該プロファイルに対応する情報は記憶されていない。
【００６５】
ユーザＢが移動通信端末３０をレンタルする。ユーザＢと通信事業者ネットワークＮの通信事業者との間の新たな契約が行われる際に、顧客データベース２０では、契約情報入力部２２によって、移動通信端末３０に備えられるｅＵＩＣＣ３１のＥＩＤである「ｅＵＩＣＣ１」、及び新たな契約に係る契約情報である「Ｂ」が入力される（Ｓ３１、契約情報入力ステップ）。
【００６６】
続いて、制御部２３によって、入力したＥＩＤによって示されるｅＵＩＣＣ３１内のプロファイル有無確認の要求がｅＵＩＣＣデータベース１０に対して行われる（Ｓ３２、制御ステップ）。ｅＵＩＣＣデータベース１０では、プロファイル情報記憶部１１によって、当該要求が受け付けられ、当該ＥＩＤに対応付けて記憶されているプロファイルの識別子、及び当該プロファイルの活性情報が取得されて、顧客データベース２０に通知される（Ｓ３３、制御ステップ）。本処理では、図３（ｃ）に示すように、ＥＩＤ「ｅＵＩＣＣ１」に対応付けられた、プロファイル「なし」の情報が顧客データベース２０に通知される。即ち、プロファイルがない旨の情報が通知される。
【００６７】
顧客データベース２０では、制御部２３によって、当該通知が受け付けられる。通知が、プロファイルがない旨のものであるため、続いて、制御部２３によって、入力されたＥＩＤによって示されるｅＵＩＣＣ３１用のプロファイルが新たに生成される（Ｓ３４、制御ステップ）。続いて、制御部２３によって、新たに生成したプロファイルの識別子、及び入力された契約情報が対応付けられて契約情報記憶部２１に記憶される（Ｓ３５、制御ステップ）。本処理では、図４（ｂ）に示すように、新たに生成されたプロファイル「１」に新たに契約「Ｂ」が対応付けられて記憶される。
【００６８】
続いて、入力されたＥＩＤ、及び新たに生成されたプロファイルが、制御部２３からＳＭサーバ４０に送信される（Ｓ３６、制御ステップ）。ＳＭサーバ４０では、送信されたＥＩＤ及びプロファイルが受信され、それらが対応付けて記憶される（Ｓ３７）。続いて、ＳＭサーバ４０によって、当該ＥＩＤによって示されるｅＵＩＣＣ３１が備えられる移動通信端末３０、即ち、ユーザＢによってレンタルされた移動通信端末３０に当該プロファイルがダウンロードされる（Ｓ３８）。
【００６９】
移動通信端末３０では、当該プロファイルがダウンロードされると、ｅＵＩＣＣ３１に当該プロファイルが記憶される。ダウンロードが完了すると、プロファイルのダウンロードが完了してプロファイルの活性化を行う旨が、移動通信端末３０からＳＭサーバ４０に通知される（Ｓ３９）。
【００７０】
また、移動通信端末３０では、ｅＵＩＣＣ３１に記憶されたプロファイルの活性化が行われる（Ｓ４０）。プロファイルの活性化が行われると、ｅＵＩＣＣ３１によって記憶されている情報が更新される。当該更新によって、ｅＵＩＣＣ３１に記憶された情報は、図２（ａ）に示すように、プロファイル「１」及び状態「活性」が対応付けられた情報となる。プロファイルの活性化によって、移動通信端末３０は、通信事業者ネットワークＮでの移動体通信を行うことができるようになる。また、移動通信端末３０では、プロファイルの活性化が行われた旨が移動通信端末３０のユーザ等に通知される（Ｓ４１）。
【００７１】
ＳＭサーバ４０では、移動通信端末３０からのプロファイルの活性化がなされる旨の通知（Ｓ３９）が受け付けられ、更に当該通知が顧客データベース２０に対して行われる（Ｓ４２）。顧客データベース２０では、制御部２３によって、移動通信端末３０からの当該通知が受け付けられ、当該通知に応じて、ｅＵＩＣＣデータベース１０に対して、入力したＥＩＤに対応付けて、当該プロファイルの識別子、及び「活性」との活性状態を記憶させる要求が行われる（Ｓ４３、制御ステップ）。ｅＵＩＣＣデータベース１０では、情報更新部１２によって、当該要求が受け付けられて、当該要求に応じてプロファイル情報記憶部１１に記憶されている情報の更新が行われる（Ｓ４４、制御ステップ）。当該更新によって、プロファイル情報記憶部１１に記憶された情報は、図３（ａ）に示すように、ＥＩＤ「ｅＵＩＣＣ１」、プロファイル「１」及び状態「活性」が対応付けられた情報となる。以上が、ｅＵＩＣＣ３１にプロファイルが記憶されていない場合の処理である。
【００７２】
上述したように本実施形態では、新たな契約に係る契約情報が入力されて記憶される際に、当該契約情報に係るｅＵＩＣＣ３１に記憶されているプロファイルの有無に応じて、当該ｅＵＩＣＣ３１用にプロファイルがダウンロードさせるように制御される。上述したように、従来、通信事業者の契約とプロファイルとは、一対一で対応しているため、新たな契約が行われる際には、一律に契約に対応するプロファイルが新たにダウンロードされることが想定される。
【００７３】
一方で、本実施形態では、新たな契約が行われる際に一律にプロファイルをダウンロードするのではなく、プロファイルがｅＵＩＣＣ３１に記憶されていない場合といった必要な場合のみにプロファイルをダウンロードすることとできる。従って、例えば、ｅＵＩＣＣ３１を備える移動通信端末３０をレンタルする場合であっても、一律のダウンロードを行わなくてもよいため、ダウンロードの時間を必要とせずに移動通信端末３０を利用することができる。即ち、ユーザが移動通信端末３０の利用するまでにダウンロードによる時間がかかることを防止することができる。上記のように本実施形態によれば、加入者認証モジュールに係る契約変更の際の処理を簡素化することができる。
【００７４】
また、本実施形態のように活性状態に応じた制御を行うこととしてもよい。この構成によれば、活性状態を考慮した適切な管理を行うことができる。但し、活性状態が他のシステムで管理されている場合等には、必ずしも本発明において、活性状態に応じた制御を行う必要はない。
【００７５】
また、本実施形態では、１つのｅＵＩＣＣ３１に１つのプロファイルが記憶されている場合のみを示したが、１つのｅＵＩＣＣ３１に複数のプロファイルが記憶されている場合にも本発明を適用することができる。複数のプロファイルが１つのｅＵＩＣＣ３１に記憶されており、当該ｅＵＩＣＣ３１に係る新たな契約が行われる場合には、例えば、予め設定したルールでそれらの複数のプロファイルのうち１つを選択して活性化を行うこととすればよい。
【００７６】
また、本実施形態では、管理システム１は、ｅＵＩＣＣデータベース１０と、顧客データベース２０とを含むことしていたが、必ずしもこれらの装置から構成されなくてもよく、通信事業者ネットワークＮの内外の任意の装置によって構成されていてもよい。
【００７７】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００７８】
例えば、本発明の一実施の形態におけるｅＵＩＣＣデータベース１０及び顧客データベース２０などは、本実施形態のｅＵＩＣＣデータベース１０及び顧客データベース２０の処理を行うコンピュータとして機能してもよい。図７は、本実施形態に係るｅＵＩＣＣデータベース１０及び顧客データベース２０のハードウェア構成の一例を示す図である。上述のｅＵＩＣＣデータベース１０及び顧客データベース２０は、物理的には、プロセッサ１００１、メモリ１００２、ストレージ１００３、通信装置１００４、入力装置１００５、出力装置１００６、バス１００７などを含むコンピュータ装置として構成されてもよい。
【００７９】
なお、以下の説明では、「装置」という文言は、回路、デバイス、ユニットなどに読み替えることができる。ｅＵＩＣＣデータベース１０及び顧客データベース２０のハードウェア構成は、図に示した各装置を１つ又は複数含むように構成されてもよいし、一部の装置を含まずに構成されてもよい。
【００８０】
ｅＵＩＣＣデータベース１０及び顧客データベース２０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００８１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ｅＵＩＣＣデータベース１０及び顧客データベース２０における各機能部は、プロセッサ１００１を含んで実現されてもよい。
【００８２】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ｅＵＩＣＣデータベース１０及び顧客データベース２０における各機能部は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００８４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００８５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述のｅＵＩＣＣデータベース１０及び顧客データベース２０における各機能部は、通信装置１００４を含んで実現されてもよい。
【００８６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８７】
また、プロセッサ１００１やメモリ１００２などの各装置は、情報を通信するためのバス１００７で接続される。バス１００７は、単一のバスで構成されてもよいし、装置間で異なるバスで構成されてもよい。
【００８８】
また、ｅＵＩＣＣデータベース１０及び顧客データベース２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８９】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００９０】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００９１】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９３】
本明細書において特定の装置によって行われるとした特定動作は、場合によってはその上位ノード（upper node）によって行われることもある。例えば、特定の装置が基地局であった場合においては、当該基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【００９４】
情報等は、上位レイヤ(または下位レイヤ)から下位レイヤ(または上位レイヤ)へ出力され得る。複数のネットワークノードを介して入出力されてもよい。
【００９５】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００９６】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１００】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０１】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１０２】
本明細書で使用する「システム」および「ネットワーク」という用語は、互換的に使用される。
【０１０３】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１０４】
移動通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０５】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１０７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０８】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１０９】
上記の各装置の構成における「手段」を、「部」、「回路」、「デバイス」等に置き換えてもよい。
【０１１０】
「含む（include）」、「含んでいる（comprising）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。本明細書において、文脈または技術的に明らかに1つのみしか存在しない装置である場合以外は、複数の装置をも含むものとする。
【０１１１】
本開示の全体において、文脈から明らかに単数を示したものではなければ、複数のものを含むものとする。
【符号の説明】
【０１１２】
１…管理システム、１０…ｅＵＩＣＣデータベース、１１…プロファイル情報記憶部、１２…情報更新部、２０…顧客データベース、２１…契約情報記憶部、２２…契約情報入力部、２３…制御部、１００１…プロセッサ、１００２…メモリ、１００３…ストレージ、１００４…通信装置、１００５…入力装置、１００６…出力装置、１００７…バス、３０…移動通信端末、３１…ｅＵＩＣＣ、４０…ＳＭサーバ、Ｎ…通信事業者ネットワーク。
【図１】
2018061083.tif 000003
【図２】
2018061083.tif 000004
【図３】
2018061083.tif 000005
【図４】
2018061083.tif 000006
【図５】
2018061083.tif 000007
【図６】
2018061083.tif 000008
【図７】
2018061083.tif 000009